(57)【特許請求の範囲】
【請求項１】
外周部に螺旋羽根が設けられ、先端部に穿孔具を取り付けて地盤等に穿孔するために使用される穿孔ロッドであって、当該穿孔ロッドの螺旋羽根の上面が、該ロッドの直立状態において外側が次第に低くなるような傾斜面として形成されているとともに、上下の螺旋羽根の間の筒軸に、該筒軸の外周部における土砂の上方への移動を邪魔する土砂掻き落し用の邪魔部材が設けられていることを特徴とする穿孔ロッド。
【発明の詳細な説明】
【０００１】
【発明の属する技術分野】
本発明は、地盤等に穿孔するために使用される螺旋羽根付きの穿孔ロッドに関するものである。
【０００２】
【従来の技術】
地盤にコンクリート杭を埋設する場合や、軟弱地盤にセメントミルクを注入して地盤の改良を行う場合等に、所定深さの穴を地盤に穿孔することが多い。この穿孔に使用される穿孔装置として、外周部に螺旋羽根を有するロッド（「スクリュー」とも呼ばれる）の先端部に螺旋刃を有する穿孔具を取り付け、該穿孔具を地盤に押し付けて強制回転させつつ穿孔を行う装置が広く使用されている。穿孔中は、掘り起こされた土砂が穿孔具とロッドの螺旋羽根を伝わって上方へ押し上げられ、穿孔された穴の外へ排出される。
【０００３】
上記ロッドの螺旋羽根は、細長い板を捩った形状に成形してロッドの筒軸部に溶接されているが、この羽根はその上面の横方向の接線がほぼ水平（軸方向と直角）であるため、その上に載せられている土砂が落ちにくく、穴の外に押し上げられてきた土砂を作業者がスコップ等で螺旋羽根から取り外さなければならなかった。特に、粘土質の地盤の場合は、繰粉（掘り起こされた土砂）が穿孔ロッドに強固に付着した状態となるため、これを穴外で取り除く作業が非常に困難であった。
【０００４】
【発明が解決しようとする課題】
そこで、本発明は、螺旋羽根に沿って押し上げられてくる土砂を比較的簡単に取り除くことができるようにすることを課題としている。
【０００５】
【課題を解決するための手段】
上記課題を解決するため、本発明は次のような構成を採用した。すなわち、本発明に係る穿孔ロッドは、外周部に螺旋羽根が設けられ、先端部に穿孔具を取り付けて地盤等に穿孔するために使用される穿孔ロッドであって、当該穿孔ロッドの螺旋羽根の上面が、該ロッドの直立状態において外側が次第に低くなるような傾斜面として形成されているとともに、上下の螺旋羽根の間に、土砂の上方への移動を邪魔する土砂掻き落し用の邪魔部材が設けられていることを特徴としている。
【０００６】
この穿孔ロッドは、その外周部の螺旋羽根の上面が、外側が次第に低くなるように傾斜しているので、その上に載せられて送り出される土砂が、穴外に達した時に側方へこぼれ落ちやすい。このため、土砂の除去が容易である。粘土質の土砂の場合でも、それが載せられている羽根の上面が外向きに傾斜しているので、羽根と羽根の間隔部に押し固められた状態となりにくく、比較的容易に除去することができる。さらに、穿孔中に螺旋羽根に沿って上昇してくる土砂の移動が、上下の螺旋羽根の間に設けられている邪魔部材によって邪魔され、穿孔ロッドの筒軸に付着しなくなるので、土砂の除去がさらに容易となる。
【０００７】
【発明の実施の形態】
以下、図面を参照しつつ本発明の実施の形態例について具体的に説明する。まず、図１及び図２は本発明の穿孔ロッドの具体例を表すもので、この穿孔ロッド１は、筒軸２の外周部に軸方向に沿って螺旋羽根３を設けている。螺旋羽根３は、細長い鋼板を螺旋状に捩った形に成形して溶接で筒軸２に固着している。
【０００８】
この螺旋羽根３は、側方に張り出す部分が次第に低くなるような傾斜面３ａとして形成されている。その傾斜角Ａは、数度ないし数十度であり、使用条件に応じて角度を最適なものとすればよいが、通常の土砂の場合は例えば１５〜３０度とするのが好ましい。この傾斜角が小さ過ぎると所期の効果は得られにくく、大き過ぎると穴底からの土砂の送り出しがうまく行われにくくなるので、いずれも好ましくない。
【０００９】
図３及び図４は従来の同種の穿孔ロッドを表すもので、この穿孔ロッド５０も筒軸５２に螺旋羽根５３が固着されている。しかしながら、この従来の穿孔ロッドの螺旋羽根は、図４に示すように、その上面の横向きの接線Ｌが垂直の軸心と直角、すなわち水平となっている。このため、当該水平な螺旋羽根上に載せられた土砂がこぼれ落ちにくい。また、粘土質の土砂の場合は、上下の羽根の間隔部Ｄに押し固められた状態となりやすいが、本発明の螺旋羽根の場合は、その上面の接線Ｌ’が外向きに傾斜しているので、土砂がこぼれやすいのである。
【００１０】
また、上記穿孔ロッド１には、邪魔部材５，…が適当な間隔で設けられている。この邪魔部材５は、図示例では三角柱状に形成され、螺旋羽根の間隔部Ｄの筒軸側面部に軸方向に沿って固着されている。この邪魔部材５は、螺旋羽根３によって送られる土砂を筒軸２から掻き取るためのものである。
【００１１】
この穿孔ロッドの先端部には、図６ないし図８に示すように、螺旋刃を有する穿孔具１０が固着される。図示例では、穿孔ロッドは従来のものとして表されており（本発明のものにおいても同様である）、穿孔具１０の基部が角柱状に形成され、穿孔ロッド１の先端部に設けた結合部の角穴に嵌合してピンｐ，ｐで固定されている。この穿孔具１０は、筒状の基軸１１の外周部に螺旋翼１２が固着されており、螺旋翼１２の先端部付近の適所に複数のビット１５，…が取り付けられて螺旋刃を構成している。また、穿孔具１０の基軸１１の先端開口部には、押え金具１６で一部が固定されたゴム板１７からなる弁１８が設けられている。この弁１８は、穿孔後にセメントミルクを注入するためのもので、外側に向かってのみ開くようになっている。
【００１２】
この穿孔ロッド１の使用に際しては、上端部を回転装置（図示を省略）に連結し、先端部の穿孔具１０を地盤等の穿孔箇所に押し付けた状態で所定方向に強制回転させつつ穿孔を行う。この回転により、穿孔具１０のビット１５，…によって地盤の掘削が行われ、穿孔具１０が穿孔ロッド１と共に次第に下降して行く。この掘削によって生じた繰粉（土砂）は、穿孔具１０の、螺旋翼１２と穿孔ロッド１の螺旋羽根３によって次第に上方へ送られ、穴の外へ排出される。この時、邪魔部材５が設けられている場合は、当該邪魔部材によって土砂の移動が邪魔され、筒軸２に付着したものが掻き落とされる。穴外に達した土砂は、穴壁によって規制されていた側方への移動が自由となるため、螺旋羽根の傾斜面３ａに沿って側方へこぼれ落ちる。これにより、土砂を穿孔ロッドから容易に除去することができるのである。なお、穿孔中の穴内においても螺旋羽根３の傾斜面に沿って土砂が穴の内壁部へこぼれ、当該穴内壁に押し付けられるので、穴壁の密度が向上し、穴壁が壊れにくくなる。また、当該穴内でこぼれる分だけ穴から排出される土砂の量が少なくなるので、排土処理が容易になる。
【００１３】
なお、以上の説明では、垂直下向きの穿孔について述べたが、傾斜穿孔や横向き穿孔の場合も効果的であることは言うまでもない。また、このような螺旋羽根を有するロッドを他の流動物の移送等に使用することができることは明らかである。
【００１４】
【発明の効果】
以上に説明したように、本発明にかかる穿孔ロッドは、螺旋羽根が外向きに傾斜しているとともに、上下の螺旋羽根の間に邪魔部材が設けられているので、螺旋羽根に付着する土砂等の除去が容易である。
【図面の簡単な説明】
【図１】本発明の穿孔ロッドの具体例を表す側面図である。
【図２】その縦断面図である。
【図３】従来の穿孔ロッドの側面図である。
【図４】その縦断面図である。
【図５】図１におけるＸ−Ｘ断面図である。
【図６】穿孔具を取り付けた状態の説明図である。
【図７】その要部の断面図である。
【図８】その弁の下面図である。
【符号の説明】
１  穿孔ロッド
２  筒軸
３  螺旋羽根
５  邪魔部材
１０  穿孔具
【図１】
0003612570.tif 000002
【図２】
0003612570.tif 000003
【図３】
0003612570.tif 000004
【図４】
0003612570.tif 000005
【図５】
0003612570.tif 000006
【図６】
0003612570.tif 000007
【図７】
0003612570.tif 000008
【図８】
0003612570.tif 000009